(57)【要約】【課題】  小型電子機器へ省スペースに配置ができ、低荷重で安定した接続が可能な接点素子を筐体に一体化した電気音響変換器提供する。【解決手段】  マグネット２、ボイスコイル３、ダイヤフラム４を収納する樹脂製筐体５に段付貫通孔７が設けられており、前記段付貫通孔７に導電性ヘッドピン８、コイルスプリング９がこの順に嵌入され、さらに導電性ソルダーレッグ１０が装着され、前記ボイスコイル３からの導線１３が前記導電性ソルダーレッグ１０に接続されていることを特徴とする電気音響変換器である。前記段付貫通孔７は、三段に構成されていることが好ましい。【選択図】  図２
2005057495.tif 000002
【特許請求の範囲】
【請求項１】
ボイスコイルを収納する樹脂製筐体に段付貫通孔が設けられており、前記段付貫通孔に導電性ヘッドピン、コイルスプリングがこの順に嵌入され、さらに導電性ソルダーレッグが装着され、前記ボイスコイルからの導線が前記導電性ソルダーレッグに接続されていることを特徴とする電気音響変換器。
【請求項２】
前記段付貫通孔が、三段の段付貫通孔である請求項１に記載の電気音響変換器。
【請求項３】
導電性ヘッドピン、コイルスプリングおよび導電性ソルダーレッグが筐体に設けられた貫通孔に嵌入、装着されてなる電気音響変換器用の接続素子構造。
【発明の詳細な説明】
【技術分野】
【０００１】
本発明は、小型電子機器に内蔵する電気音響変換器（例えばスピーカ、レシーバ）に関し、特にはその電気音響変換器のボイスコイルのコイル線と小型電子機器の回路基板の電極との接続構造に関する。
【背景技術】
【０００２】
小型電子機器に内蔵する電気音響変換器としては、図６、図７に示すような、スプリング・コネクタ２１を用いるものが知られている（特許文献１参照）。
特許文献１に示されるもののスプリング・コネクタ２１は、図７に示すように、ハウジング部２２内に収納されたスプリング部材２３に押圧されてハウジング部２２から突出する可動ピン２４から構成され、スプリング・コネクタ２１が基板部材２５にハンダ付けされて固着され、このハンダ付けされた基板部材２５がスピーカ２６（図６）に取り付けられる。
そして、スピーカ２６に取り付けられたスプリング・コネクタ２１の可動ピン２４が、図６に示すように、プリント基板２７の導体部（電極）２８に接触して押し当てられて、電気的にスピーカ回路が接続するものである。
【０００３】
この従来のスプリング・コネクタ２１は、コネクタとして独立しているものであり、かつ、基板部材２５にハンダ付けされて用いられるものである。
これらによっては、最近特に要望される小型化、薄型化、軽量化に応えることは難しい。
【特許文献１】実用新案登録第３０１１６２１号公報
【発明の開示】
【発明が解決しようとする課題】
【０００４】
本発明が解決しようとする課題は、上記のような事情に鑑み、更なる小型化が進む小型電子機器へ省スペースに配置ができ、低荷重で安定した接続が可能な接点素子を筐体に一体化した電気音響変換器（スピーカ、レシーバ）とその接続構造を提供することを課題とする。
【課題を解決するための手段】
【０００５】
本発明の電気音響変換器は、マグネット、ボイスコイル、ダイヤフラムを収納する樹脂製筐体に段付貫通孔が設けられており、前記段付貫通孔に導電性ヘッドピン、コイルスプリングがこの順に嵌入され、さらに導電性ソルダーレッグが装着され、前記ボイスコイルからの導線が前記導電性ソルダーレッグに接続されていることを特徴とする。前記段付貫通孔は、三段に構成されていることが好ましい。
【発明の効果】
【０００６】
本発明によれば、樹脂製筐体に設けた段付貫通孔を利用して実質的に従来のスプリングコネクタと同効のものを構成することができたので、従来必須とされてきた基板部材を用いる必要がなくなり、さらにそれへのハンダ付けも必要としなくなったので、部品点数も減少し、組み立て等の工数も格段に少なくすることができ、小型電気機器のさらなる小型化、薄型化、軽量化に応えることが容易になった。
【発明を実施するための最良の形態】
【０００７】
図面に基づいて、本発明を詳細に説明する。
図１は、本発明の電気音響変換器の一実施の形態を示す外観斜視説明図である。
図２は、図１に示す本発明の電気音響変換器の一実施の形態の分解斜視説明図である。
図３は、本発明の接点素子を示す断面説明図である。
図４は、本発明の電気音響変換器の他の実施の形態を示す外観斜視説明図である。
図５は、図４に示す本発明の電気音響変換器の他の実施の形態の分解斜視説明図である。
【０００８】
本発明の一実施の形態の電気音響変換器１（図１）を分解斜視説明図として示す図２において、２はマグネット、３はボイスコイル、４はダイヤフラム、１４はカバーであり、これらが樹脂製筐体５に組み込まれる。この実施の形態においては、樹脂製筐体５は、突出部６を有している。
突出部６には、段付貫通孔７が形成されており、段付貫通孔７には、導電性ヘッドピン８、コイルスプリング９、導電性ソルダーレッグ１０が装入される。導電性ヘッドピン８は、拡径部１１を有し、拡径部１１の先にスプリングコイル係合突起１２を有する。導電性ヘッドピン８の拡径部１１が段付貫通孔７の段部に係合することにより、抜け止めされる。コイルスプリング９の一端部は、導電性ヘッドピン８の拡径部１１およびスプリングコイル係合突起１２に係合する。導電性ソルダーレッグ１０は、有底筒状体をなす。コイルスプリング９の他端部は、導電性ソルダーレッグ１０の筒状体部に収納され、その有底部に係合する。
【０００９】
導電性ヘッドピン８は、小型電子機器の配線基板の電極（図示せず）にコイルスプリング９の弾発力で押圧接触される。導電性ヘッドピン８の配線基板の電極との接触端部は、平面でも良いし、球面状にラウンド状としても良いし、円錐状等の錐体状でも良いし、また、円錐台状等の切頭錐体状をなしていても良い。
段付貫通孔７は、図３に示すように、三段の段付貫通孔とすることができる。三段の段付貫通孔とした場合には、最大径部分に導電性ソルダーレッグ１０が配置され、その段部で、導電性ソルダーレッグ１０が位置決めされる。そして、中径部分に配置されるコイルスプリング９のコイル径を中径部分の径に対応させることができ、それだけ大径とすることができる。
【００１０】
導電性ヘッドピン８は、銅あるいは真鍮などの銅合金、アルミニウム合金、ニッケルまたはニッケル合金等、適宜の金属製とすることができる。導電性を高めるために、必要に応じてその表面に金メッキ、銅メッキ等の良導電性のメッキを施すことが望ましい。
導電性ソルダーレッグ１０は、導電性ヘッドピン８と同様の金属材料で作製され得る。必要に応じて、導電性とハンダ性を考慮して、メッキ処理されることができる。
コイルスプリング９は、例えば直径３０〜２００μｍ、好ましくは５０〜１００μｍの金属細線が等ピッチ（例えば、０．４ｍｍ）で巻回されることで略円筒状を呈した弾性のコイル状に形成される。
【００１１】
このコイルスプリングを形成する金属細線としては、リン青銅、銅、ベリリウム銅、ばね鋼、硬鋼、ステンレス鋼、ピアノ線材等の金属線、あるいはこれらの金属線に金メッキした金属細線があげられる。
導電性ソルダーレッグ１０の有底部外面に、ボイスコイル３からの導線１３がハンダ付け、導電性接着剤による接着、等で接合される。
樹脂製筐体５に、以上に述べたマグネット２、ボイスコイル３、導電性ヘッドピン８、コイルスプリング９、コイルスプリング９からの導線１３を組み付け、カバー１４で覆って、図１に示されるような、突出部を有する本発明の電気音響変換器１ができあがる。図１には、突出部６部分に導電性ヘッドピン８の先端部が樹脂製筐体５より突出していることが示されている。
電気音響変換器の突出部６は、小型電子機器に組み付ける際の位置合わせに有効である。
樹脂製筐体５の材質としては、格別の制限はなく、通常のエンジニアリングプラスチックが用いられる。
【００１２】
本発明の他の実施の形態である電気音響変換器１５を、図４、図５に示す。本発明の他の実施の形態である電気音響変換器１５においては、樹脂製筐体１６はほぼ円形をなし、突出部を有しない。そして、段付貫通孔７は、円形をなす樹脂製筐体１６のほぼ中心位置と、適宜の距離離れた位置とに設けられる。
この実施の形態においては、電気音響変換器１５が全体として円形をなしているので、小型電子機器の配線基板の電極が蛇の目状の電極であれば、向きに関係無しに組み付けることができる。
この、本発明の他の実施の形態である電気音響変換器１５における他の部材は、第一の実施の形態でのものと基本的に相違するところがないので、同一の符号を付して図示することとし、説明は省略する。
【産業上の利用可能性】
【００１３】
本発明によれば、少ない部品点数で構成され、組み付け工数等も大幅に減少し、小型電子機器のさらなる小型化、薄型化、軽量化が図れるようになったので、小型電子機器用の電気音響変換器として、きわめて有用である。
【図面の簡単な説明】
【００１４】
【図１】本発明の電気音響変換器の一実施の形態を示す外観斜視説明図である。
【図２】図１に示す本発明の電気音響変換器の一実施の形態の分解斜視説明図である。
【図３】本発明の接点素子を示す断面説明図である。
【図４】本発明の電気音響変換器の他の実施の形態を示す外観斜視説明図である。
【図５】図３に示す本発明の電気音響変換器の他の実施の形態の分解斜視説明図である。
【図６】従来のスピーカとプリント基板との接続構造を示す説明図である。
【図７】従来のスプリング・コネクタの構造を示す断面説明図である。
【符号の説明】
【００１５】
１：（本発明の一実施の形態の）電気音響変換器
２：マグネット
３：ボイスコイル
４：ダイヤフラム
５：樹脂製筐体
６：突出部
７：段付貫通孔
８：導電性ヘッドピン
９：コイルスプリング
１０：導電性ソルダーレッグ
１１：（導電性ヘッドピンの）拡径部
１２：スプリングコイル係合突起
１３：（ボイスコイルからの）導線
１４：カバー
１５：（本発明の他の実施の形態である）電気音響変換器
１６：樹脂製筐体
２１：スプリング・コネクタ
２２：ハウジング部
２３：スプリング部材
２４：可動ピン
２５：基板部材
２６：スピーカ
２７：プリント基板
２８：導体部（電極）
【図１】
2005057495.tif 000003
【図２】
2005057495.tif 000004
【図３】
2005057495.tif 000005
【図４】
2005057495.tif 000006
【図５】
2005057495.tif 000007
【図６】
2005057495.tif 000008
【図７】
2005057495.tif 000009